(57)【要約】【課題】ＨＤＭＩ接続可能な情報再生装置に対する動作テストを効率良く行うことができる情報再生装置のテストシステムを提供する。【解決手段】ＵＳＢフラッシュメモリはプロトコルアナライザのＵＳＢコネクタに接続され、そのメモリから各種のテレビジョン受像機に対応するＥＤＩＤが取得され記憶媒体に登録される。プロトコルアナライザは記憶媒体に登録されたＥＤＩＤを各種のテレビジョン受像機に対応させて光ディスク再生装置に送信する。光ディスク再生装置は、ＥＤＩＤを参照して設定されたビデオデータ／オーディオデータ／制御データをプロトコルアナライザに送信する。プロトコルアナライザでは、ビデオデータ／オーディオデータ／制御データに基づいて光ディスク再生装置に対するデバッグ処理を行う。これにより各種のテレビジョン受像機を用意しなくても、光ディスク再生装置に対するデバッグ処理を行うことができる。【選択図】図２
2009093696.tif 000002
【特許請求の範囲】
【請求項１】
記録媒体に記録された情報を再生する情報再生装置の動作テストをプロトコルアナライザによって行う情報再生装置のテストシステムであって、
前記情報再生装置は、テストモードに設定されている場合、ＨＤＭＩ接続可能な各種の映像音声出力機器に対するＥＤＩＤをフラッシュメモリに格納する構成を有し、
前記プロトコルアナライザは、前記情報再生装置がテストモードに設定されている場合、前記フラッシュメモリからＥＤＩＤを取得して前記映像音声出力機器が接続されていなくても、前記ＥＤＩＤを前記情報再生装置に送信して、前記情報再生装置から受信したビデオデータ／オーディオデータ／制御データに基づいて前記情報再生装置に対するデバッグ処理を行う構成を有することを特徴とする情報再生装置のテストシステム。
【請求項２】
前記情報再生装置は、テストモードに設定されている場合、前記映像音声出力機器とＨＤＭＩ接続されたことを検知したとき、前記映像音声出力機器に対してＥＤＩＤ要求を行って前記映像音声機器からのＥＤＩＤを取得するＥＤＩＤ取得手段と、前記ＥＤＩＤが取得されたとき、所定バスにフラッシュメモリが接続されているか否かを判定するメモリ接続判定手段と、前記所定バスにフラッシュメモリが接続されていると判定されたとき、前記取得されたＥＤＩＤを前記プロトコルアナライザが認識できるファイル形式に変換するファイル形式変換手段と、前記変換されたファイル形式のＥＤＩＤを前記フラッシュメモリに格納するＥＤＩＤ格納手段とを備えたことを特徴とする請求項１に記載の情報再生装置のテストシステム。
【請求項３】
前記プロトコルアナライザは、前記情報再生装置がテストモードに設定されている場合、前記フラッシュメモリから各種の映像音声出力機器に対応するＥＤＩＤを取得して記憶媒体に登録するＥＤＩＤ登録手段と、前記記憶媒体に登録されたＥＤＩＤを各種の映像音声機器に対応させて前記情報再生装置に送信させるＥＤＩＤ送信手段と、前記情報再生装置が前記送信されてきたＥＤＩＤを受信して該ＥＤＩＤを参照して設定されたビデオデータ／オーディオデータ／制御データを前記情報再生装置から受信するデータ受信手段と、前記受信されたビデオデータ／オーディオデータ／制御データに基づいて前記情報再生装置に対するデバッグ処理を行うデバッグ処理手段とを備えたことを特徴とする請求項１に記載の情報再生装置のテストシステム。
【請求項４】
前記所定バスとはＵＳＢであることを特徴とする請求項２に記載の情報再生装置のテストシステム。
【発明の詳細な説明】
【技術分野】
【０００１】
本発明は、情報再生装置の動作テストをプロトコルアナライザによって行う情報再生装置のテストシステムに関する。
【背景技術】
【０００２】
近年、情報再生装置として、例えば、光ディスク再生装置（ＤＶＤ（デジタルバーサタイルディスク）プレイヤやＢＤ（ブルーレイディスク）プレイヤ）や光ディスク記録再生装置（ＤＶＤレコーダやＢＤレコーダ）あるいはハードディスクレコーダなどが普及しており、これらの情報再生装置に接続される機器としては、テレビジョン受像機などが知られている。テレビジョン受像機の表示画面の超高精細化は、液晶パネル製造技術の進歩によって著しく発展して、非常に膨大な情報量のビデオデータを高精細に表示することが可能になった。このようなテレビジョン受像機では、非常に多くのビデオデータ／オーディオデータ／制御データを、情報再生機器から送信させるため、ＨＤＭＩ（High Definition Multimedia Interface）と言うインターフェイスが用いられている。
【０００３】
ＨＤＭＩは、情報再生機器からテレビジョン受像機などにビデオデータ／オーディオデータ／制御データを伝送するためのインターフェイスである。ＨＤＭＩは、従来の規格であるＤＶＩ（Digital Visual Interface for Computer）Ver1.0を拡張したものである。具体的には、ＤＶＩはビデオデータのみを送信する規格のインターフェイスであるのに対し、ＨＤＭＩは、ビデオデータの他、オーディオデータおよびその他のデータも一つのケーブルで送信できる規格のインターフェイスである。更に、ＨＤＭＩは、高品質のマルチチャンネルのオーディオデータと高解像度の各種フォーマットのビデオデータの伝送が可能である。
【０００４】
ＨＤＭＩは、ＤＤＣ（Display Data Channel）通信により、各種の情報（モニタの情報、例えば、ＥＤＩＤデータ構造など）を伝送するのに用いられることも可能である。ＥＤＩＤ（Extended Display Identification Data）とは、テレビジョン受像機の受信可能な解像度、オーディオストリーム情報（音声形式などの情報）、ＨＤＭＩ受信部の持つスピーカ情報などがある。また、ＨＤＭＩは、一つのケーブルでビデオデータ／オーディオデータ／制御データを伝送することができ、複数ケーブル接続の煩わしさがなくなるという利点を有している。例えば、光ディスク再生装置などの情報再生装置からＣＳＳ（Content Scrambling System）におけるコンテンツを出力する場合において、ＨＤＭＩは、ＣＰＡＣ（Copy Protection Advisory Council）により承認されている規格のインターフェイスになっている。
【０００５】
前記ＤＤＣとは、通信形式の名称であり、ビデオデータの表示条件やオーディオデータの条件のデータ以外に、ＨＤＭＩモニタに関する他のデータを併せて光ディスク再生装置などの情報再生装置に送信するのに用いられる回線である。ＤＤＣは、光ディスク再生装置などの情報再生装置内の通信線と接続されており、情報再生装置とテレビジョン受像機との間の回線を確立させるために用いられる。前記ＣＳＳは、データを暗号化して記録し、再生時に復号化するシステムである。また、ＨＤＭＩには、ＣＥＣ（Consumer Electronics Control）というコントロール機能が有り、情報再生装置とテレビジョン受像機との間でコマンドにより主電源をオンさせたりオフされたり、その他の制御が連動で行うことができる。
【特許文献１】特開２００５−８４８８１号公報
【特許文献２】特開２００７−７８９８０号公報
【発明の開示】
【発明が解決しようとする課題】
【０００６】
ところで、例えば、光ディスク再生装置の動作テストは次のように行われる。まず、動作テスト対象の光ディスク再生装置に、ＨＤＭＩ接続可能なテレビジョン受像機を、ＨＤＭＩケーブルを介して接続し、この後、光ディスク再生装置は、テレビジョン受像機に対してＥＤＩＤ要求を行う。これに応答して、テレビジョン受像機は、ＥＤＩＤを光ディスク再生装置に送信する。
【０００７】
そして、光ディスク再生装置は、受信したＥＤＩＤを参照して解像度の決定や、オーディオストリームの決定を行って、テレビジョン受像機にビデオデータ／オーディオデータ／制御データを送信する。これにより、テレビジョン受像機には、正常な映像および音声が出力されているかをチェックすることにより、動作テスト対象の光ディスク再生装置の動作テストが行われる。
【０００８】
しかしながら、そのようなＨＤＭＩ接続可能な光ディスク再生装置に対する動作テストは、テレビジョン受像機のメーカや機種が変われば、ＥＤＩＤの情報も変わるので、動作テスト対象の光ディスク再生装置に各種のテレビジョン受像機を１台づつＨＤＭＩ接続しなければならないので、光ディスク再生装置の動作テストに多くの時間を要し、これにより、光ディスク再生装置の生産コストが高くなると言う課題があった。
【０００９】
なお、特許文献１の従来技術は、モニタにＵＳＢ（Universal Serial Bus）接続されたパーソナルコンピュータにより、ＥＤＩＤの変更処理を行うものであるが、ＨＤＭＩ接続可能な情報再生装置に対する動作テストについては開示されていない。
【００１０】
また、特許文献２の従来技術では、送信機器がＥＤＩＤ記述外のデータを受信機器に送信してきたときに、受信機器は、送信機器に対して、再度ＥＤＩＤの取得処理を実行させるようにしているが、この従来技術も、ＨＤＭＩ接続可能な情報再生装置に対する動作テストについては開示されていない。
【００１１】
本発明は、上記のような課題を解決するためになされたもので、ＨＤＭＩ接続可能な情報再生装置に対する動作テストを効率良く行うことができる情報再生装置のテストシステムを提供することを目的とする。
【課題を解決するための手段】
【００１２】
上記目的を達成するために、請求項１の発明は、記録媒体に記録された情報を再生する情報再生装置の動作テストをプロトコルアナライザによって行う情報再生装置のテストシステムであって、前記情報再生装置は、テストモードに設定されている場合、ＨＤＭＩ接続可能な各種の映像音声出力機器に対するＥＤＩＤをフラッシュメモリに格納する構成を有し、前記プロトコルアナライザは、前記情報再生装置がテストモードに設定されている場合、前記フラッシュメモリからＥＤＩＤを取得して前記映像音声出力機器が接続されていなくても、前記ＥＤＩＤを前記情報再生装置に送信して、前記情報再生装置から受信したビデオデータ／オーディオデータ／制御データに基づいて前記情報再生装置に対するデバッグ処理を行う構成を有することを特徴とする情報再生装置のテストシステムを提供する。
【００１３】
この構成において、情報再生装置がテストモードに設定されている場合、情報再生装置では、ＨＤＭＩ接続可能な各種の映像音声出力機器に対するＥＤＩＤがフラッシュメモリに格納される。また、情報再生装置がテストモードに設定されている場合、プロトコルアナライザでは、前記フラッシュメモリからＥＤＩＤを取得して前記映像音声出力機器が接続されていなくても、前記ＥＤＩＤを前記情報再生装置に送信して、前記情報再生装置から受信したビデオデータ／オーディオデータ／制御データに基づいて前記情報再生装置に対するデバッグ処理が行われる。
【００１４】
この構成によれば、各種の映像音声出力機器のＥＤＩＤがフラッシュメモリに格納され、プロトコルアナライザは、フラッシュメモリから各種の映像音声出力機器のＥＤＩＤを取得して、情報再生装置に対するデバッグ処理を行うことができるので、動作テスト対象の情報再生装置と各種の映像音声出力機器を１台ずつ接続して、動作テスト対象の情報再生装置に対するデバッグ処理を行うのと同じ環境を実現でき、この結果、各種の映像音声出力機器を用意しなくても、動作テスト対象の情報再生機器に対するデバッグ処理を行うことができ、これにより、ＨＤＭＩ接続可能な情報再生装置に対する動作テストを効率良く行うことができ、情報再生装置の動作テストの時間が短縮され、情報再生装置のコストダウンを図れる。
【００１５】
請求項２の発明では、請求項１の発明において、前記情報再生装置は、テストモードに設定されている場合、前記映像音声出力機器とＨＤＭＩ接続されたことを検知したとき、前記映像音声出力機器に対してＥＤＩＤ要求を行って前記映像音声機器からのＥＤＩＤを取得するＥＤＩＤ取得手段と、前記ＥＤＩＤが取得されたとき、所定バスにフラッシュメモリが接続されているか否かを判定するメモリ接続判定手段と、前記所定バスにフラッシュメモリが接続されていると判定されたとき、前記取得されたＥＤＩＤを前記プロトコルアナライザが認識できるファイル形式に変換するファイル形式変換手段と、前記変換されたファイル形式のＥＤＩＤを前記フラッシュメモリに格納するＥＤＩＤ格納手段とを備えたことを特徴とする。
【００１６】
したがって、前記情報再生装置は、ＥＤＩＤ取得処理、メモリ接続判定処理、ファイル形式変換処理、およびＥＤＩＤ格納処理を実現でき、これにより、各種の映像音声出力機器のＥＤＩＤをフラッシュメモリに格納させることが可能になる。
【００１７】
請求項３の発明では、請求項１の発明において、前記プロトコルアナライザは、前記情報再生装置がテストモードに設定されている場合、前記フラッシュメモリから各種の映像音声出力機器に対応するＥＤＩＤを取得して記憶媒体に登録するＥＤＩＤ登録手段と、前記記憶媒体に登録されたＥＤＩＤを各種の映像音声機器に対応させて前記情報再生装置に送信させるＥＤＩＤ送信手段と、前記情報再生装置が前記送信されてきたＥＤＩＤを受信して該ＥＤＩＤを参照して設定されたビデオデータ／オーディオデータ／制御データを前記情報再生装置から受信するデータ受信手段と、前記受信されたビデオデータ／オーディオデータ／制御データに基づいて前記情報再生装置に対するデバッグ処理を行うデバッグ処理手段とを備えたことを特徴とする。
【００１８】
したがって、前記プロトコルアナライザは、ＥＤＩＤ登録処理、ＥＤＩＤ送信処理、データ受信処理、およびデバッグ処理を実現でき、これにより、フラッシュメモリから各種の映像音声出力機器のＥＤＩＤを取得して、情報再生装置に対するデバッグ処理を行うことが可能になる。
【００１９】
請求項４の発明では、請求項２の発明において、前記所定バスとはＵＳＢであるので、前記フラッシュメモリとしては、ＵＳＢコネクタに接続可能なＵＳＢフラッシュメモリを用いることができ、これにより、プロトコルアナライザは、ＵＳＢフラッシュメモリを接続することにより、各種の映像音声出力機器のＥＤＩＤをＵＳＢフラッシュメモリから簡単に取得することが可能になる。
【発明の効果】
【００２０】
以上のように本発明によれば、各種の映像音声出力機器のＥＤＩＤがＵＳＢフラッシュメモリに格納され、プロトコルアナライザは、ＵＳＢフラッシュメモリから各種の映像音声出力機器のＥＤＩＤを取得して、情報再生装置に対するデバッグ処理を行うことができるので、動作テスト対象の情報再生装置と各種の映像音声出力機器を１台ずつ接続して、動作テスト対象の情報再生装置に対するデバッグ処理を行うのと同じ環境を実現でき、この結果、各種の映像音声出力機器を用意しなくても、動作テスト対象の情報再生機器に対するデバッグ処理を行うことができ、これにより、ＨＤＭＩ接続可能な情報再生装置に対する動作テストを効率良く行うことができ、情報再生装置の動作テストの時間が短縮され、情報再生装置のコストダウンを図れる。
【発明を実施するための最良の形態】
【００２１】
以下、添付図面を参照しつつ、本発明の実施の形態について説明する。図１は本発明の一実施形態に係る情報再生装置のテストシステムにおいて光ディスク再生装置がテレビジョン受像機からＥＤＩＤを取得するために光ディスク再生装置とテレビジョン受像機とが接続されている場合の構成を示すブロック図である。
【００２２】
図１において、光ディスク再生装置（ＤＶＤプレイヤあるいはＢＤプレイヤ）１は、装置全体を制御するマイクロコンピュータなどを含むシステムコントローラ１１と、リモコン４から送信されてきたキーコード（リモコンコード）を受信するリモコン受信部１２と、ＨＤＭＩ（High Definition Multimedia Interface）ケーブル３によって接続されるテレビジョン受像機２のメーカ名とリモコンコードとの対応関係を示すテーブルなどを記憶したフラッシュＲＯＭ１３と、設定画面や文字情報などをテレビジョン受像機２（モニタ装置でも良い）に表示させるためのＯＳＤ（On Screen Display ）処理を行うＯＳＤ回路１４と、ＤＶＤあるいはＢＤなどの光ディスクの記録情報を再生する再生部１５と、ＨＤＭＩケーブル３を介してテレビジョン受像機２と通信を行うＨＤＭＩ通信部１６と、一方側がＵＳＢ１９を介してシステムコントローラ１１に接続され他方側にはＵＳＢフラッシュメモリ１８が接続可能なＵＳＢコネクタ１７とを備えている。ＵＳＢフラッシュメモリ１８には、光ディスク再生装置１のテストモードにおいて各種のテレビジョン受像機のＥＤＩＤが格納される。
【００２３】
本実施形態において、光ディスク再生装置１の特徴としては、テストモードに設定されている場合、映像音声出力機器としての例えばテレビジョン受像機２とＨＤＭＩ接続されたことを検知したとき、テレビジョン受像機２に対してＥＤＩＤ要求を行ってテレビジョン受像機２からのＥＤＩＤを取得するＥＤＩＤ取得手段（システムコントローラ１１に含まれる）と、前記ＥＤＩＤが取得されたとき、ＵＳＢコネクタ１７にＵＳＢフラッシュメモリ１８が接続されているか否かを判定するメモリ接続判定手段（システムコントローラ１１に含まれる）と、ＵＳＢコネクタ１７にＵＳＢフラッシュメモリ１８が接続されていると判定されたとき、前記取得されたＥＤＩＤをプロトコルアナライザ５（図２参照）が認識できるファイル形式に変換するファイル形式変換手段（システムコントローラ１１に含まれる）と、前記変換されたファイル形式のＥＤＩＤをＵＳＢフラッシュメモリ１８に格納するＥＤＩＤ格納手段（システムコントローラ１１に含まれる）とを備えている。
【００２４】
テレビジョン受像機２は、受像機全体を制御するマイクロコンピュータを含む制御部２１と、制御部２１の制御プログラムや受像機のメーカ名を含む所定形式の識別子データを有するＥＤＩＤ（Extended Display Identification Data）などを記憶したフラッシュＲＯＭ２２と、映像を表示する映像表示部２３と、音声回路およびスピーカなどを含み音声を出力する音声出力部２４と、ＨＤＭＩケーブル３を介して光ディスク再生装置１と通信を行うＨＤＭＩ通信部２５とを備えている。
【００２５】
リモコン４は、リモコン全体を制御するマイクロコンピュータを含む制御部４１と、操作キー番号が予め割り当てられ光ディスク再生装置１やテレビジョン受像機２を遠隔操作する複数の操作キーが設けられた操作パネル４２と、操作パネル４２の操作キーに対応したキーコードを光ディスク再生装置１、あるいは光ディスク再生装置１およびＨＤＭＩケーブル３を介してテレビジョン受像機２に送信するリモコン送信部４３と、複数のキーコードを操作パネル４２の操作キーの操作キー番号に対応したアドレスに記憶するフラッシュＲＯＭ４４とを備えている。
【００２６】
図２は本発明の一実施形態に係る情報再生装置のテストシステムにおいて光ディスク再生装置がプロトコルアナライザにより動作テストされる場合の構成を示すブロック図である。
【００２７】
図２において、光ディスク再生装置（ＤＶＤプレイヤあるいはＢＤプレイヤ）１は、装置全体を制御するマイクロコンピュータなどを含むシステムコントローラ１１と、リモコン４から送信されてきたキーコード（リモコンコード）を受信するリモコン受信部１２と、ＨＤＭＩ（High Definition Multimedia Interface）ケーブル３によって接続されるテレビジョン受像機２のメーカ名とリモコンコードとの対応関係を示すテーブルなどを記憶したフラッシュＲＯＭ１３と、設定画面や文字情報などをテレビジョン受像機２（モニタ装置でも良い）に表示させるためのＯＳＤ（On Screen Display ）処理を行うＯＳＤ回路１４と、ＤＶＤあるいはＢＤなどの光ディスクの記録情報を再生する再生部１５と、ＨＤＭＩケーブル３を介してテレビジョン受像機２と通信を行うＨＤＭＩ通信部１６と、ＵＳＢフラッシュメモリ１８（図１参照）が接続されるＵＳＢコネクタ１７を備えている。
【００２８】
プロトコルアナライザ５は、パーソナルコンピュータで実現でき、コンピュータ全体を制御する制御部５１と、コンピュータの処理に必要なプログラムやデータあるいはＵＳＢフラッシュメモリ１８から取得したＥＤＩＤを登録するハードディスクなどの記憶媒体５２と、映像を表示する映像表示部５３と、音声回路およびスピーカなどを含み音声を出力する音声出力部５４と、ＨＤＭＩケーブル３を介して光ディスク再生装置１と通信を行うＨＤＭＩ通信部５５と、光ディスク再生装置１からのビデオデータ／オーディオデータ／制御データを参照して光ディスク再生装置１に対するデバッグ処理を行うデバッグ処理部５６と、一方側はＵＳＢフラッシュメモリ１８が接続可能であり他方側がＵＳＢ５８を介して制御部５１に接続されるＵＳＢコネクタ５７とを備えている。
【００２９】
本実施形態において、プロトコルアナライザ５の特徴としては、情報再生装置としての光ディスク再生装置１がテストモードに設定されている場合、フラッシュメモリ１８から各種のテレビジョン受像機に対応するＥＤＩＤを取得して記憶媒体５２に登録するＥＤＩＤ登録手段（制御部５１に含まれる）と、記憶媒体５２に登録されたＥＤＩＤを各種のテレビジョン受像機に対応させて光ディスク再生装置１に送信させるＥＤＩＤ送信手段（制御部５１に含まれる）と、光ディスク再生装置１が前記送信されてきたＥＤＩＤを受信して該ＥＤＩＤを参照して設定されたビデオデータ／オーディオデータ／制御データを光ディスク再生装置１から受信するデータ受信手段（制御部５１に含まれる）と、前記受信されたビデオデータ／オーディオデータ／制御データに基づいて光ディスク再生装置１に対するデバッグ処理を行うデバッグ処理手段（デバッグ処理部５６）とを備えている。
【００３０】
リモコン４は、リモコン全体を制御するマイクロコンピュータを含む制御部４１と、操作キー番号が予め割り当てられ光ディスク再生装置１やテレビジョン受像機２を遠隔操作する複数の操作キーが設けられた操作パネル４２と、操作パネル４２の操作キーに対応したキーコードを光ディスク再生装置１、あるいは光ディスク再生装置１およびＨＤＭＩケーブル３を介してテレビジョン受像機２に送信するリモコン送信部４３と、複数のキーコードを操作パネル４２の操作キーの操作キー番号に対応したアドレスに記憶するフラッシュＲＯＭ４４とを備えている。
【００３１】
図３は本発明の一実施形態に係る情報再生装置のテストシステムにおいて光ディスク再生装置がテレビジョン受像機からＥＤＩＤを取得してＵＳＢフラッシュメモリに格納するまでの処理を説明するためのフローチャートである。このフローチャートおよび図１を参照して光ディスク再生装置がテレビジョン受像機からＥＤＩＤを取得してＵＳＢフラッシュメモリに格納するまでの処理について説明する。
【００３２】
先ず、メーカ側の検査員は、光ディスク再生装置１をテストモードに設定するために、テストモードのコードをリモコン４のキー操作により光ディスク再生装置１に入力する。これにより、光ディスク再生装置１のシステムコントローラ１１は、光ディスク再生装置１がテストモードに設定されたことを検知する（ステップＳ１）。
【００３３】
このように、光ディスク再生装置１がテストモードに設定されている場合、システムコントローラ１１のＥＤＩＤ取得手段は、テレビジョン受像機２とＨＤＭＩ接続されたことを検知したとき（ステップＳ２）、テレビジョン受像機２に対してＥＤＩＤ要求を行ってテレビジョン受像機２からのＥＤＩＤを取得する（ステップＳ３）。即ち、テレビジョン受像機２では、光ディスク再生装置１からのＥＤＩＤ要求を受けると、制御部２１は、フラッシュＲＯＭ２２からＥＤＩＤを読出し、ＨＤＭＩ通信部２５およびＨＤＭＩケーブル３を介して、前記ＥＤＩＤを光ディスク再生装置１に送信する。これにより、光ディスク再生装置１では、前記ＥＤＩＤをＨＤＭＩ通信部１６で受信し、システムコントローラ１１のＥＤＩＤ取得手段は、図示しないＲＡＭに前記ＥＤＩＤを一旦格納する。
【００３４】
前記ＥＤＩＤが取得されたとき、システムコントローラ１１のメモリ接続判定手段は、システムコントローラ１１とＵＳＢ１９を介して接続されたＵＳＢコネクタ１７にＵＳＢフラッシュメモリ１８が接続されているか否かを判定する（ステップＳ４）。ＵＳＢフラッシュメモリ１８が接続されている場合と接続されていない場合とでは、システムコントローラ１１に接続されているＵＳＢの特定ラインの電圧がハイレベルまたはロウレベルになったりするので、ＵＳＢフラッシュメモリ１８の接続判定が可能になる。
【００３５】
ＵＳＢコネクタ１７にＵＳＢフラッシュメモリ１８が接続されていると判定されたとき、システムコントローラ１１のファイル形式変換手段は、テレビジョン受像機２から取得されたＥＤＩＤを、前記ＲＡＭ上でプロトコルアナライザ５（図２参照）が認識できるファイル形式に変換する（ステップＳ５）。次に、システムコントローラ１１のＥＤＩＤ格納手段は、前記変換されたファイル形式のＥＤＩＤを前記ＲＡＭから読出し、ＵＳＢフラッシュメモリ１８に格納する（ステップＳ６）。
【００３６】
以上説明した処理により、テレビジョン受像機２のＥＤＩＤはＵＳＢフラッシュメモリ１８に格納される。このような処理は、各種のテレビジョン受像機に対して行われ、各種のテレビジョン受像機のＥＤＩＤがＵＳＢフラッシュメモリ１８に格納される。
【００３７】
図４は本発明の一実施形態に係る情報再生装置のテストシステムにおいて光ディスク再生装置がプロトコルアナライザにより動作テストされる場合の処理を説明するためのフローチャートである。このフローチャートおよび図２を参照して光ディスク再生装置がプロトコルアナライザにより動作テストされる場合の処理について説明する。
【００３８】
先ず、光ディスク再生装置１のＵＳＢコネクタ１７に接続されたＵＳＢフラッシュメモリ１８は、プロトコルアナライザ５のＵＳＢコネクタ５７に接続される。これにより、プロトコルアナライザ５の制御部５１は、光ディスク再生装置１とＨＤＭＩ接続されていることを検知して（ステップＮ１）、更に、光ディスク再生装置１からの動作モード信号により、光ディスク再生装置１がテストモードに設定されていることを検知すると（ステップＮ２）、制御部５１のＥＤＩＤ登録手段は、ＵＳＢコネクタ５７に接続されたＵＳＢフラッシュメモリ１８から各種のテレビジョン受像機（ＴＶ）に対応するＥＤＩＤを取得して記憶媒体５２に登録する（ステップＮ３）。
【００３９】
そして、制御部５１のＥＤＩＤ送信手段は、記憶媒体５２に登録されたＥＤＩＤを読み出して、各種のテレビジョン受像機に対応させて光ディスク再生装置１にＨＤＭＩ通信部５５およびＨＤＭＩケーブル３を介して送信させる（ステップＮ４）。前記ＥＤＩＤをＨＤＭＩ通信部１６で受信した光ディスク再生装置１においては、システムコントローラ１１は、前記ＥＤＩＤを参照して設定されたビデオデータ／オーディオデータ／制御データを、ＨＤＭＩ通信部１６およびＨＤＭＩケーブル３を介してプロトコルアナライザ５に送信する。
【００４０】
プロトコルアナライザ５では、制御部５１のデータ受信手段は、光ディスク再生装置１から送信されてきたビデオデータ／オーディオデータ／制御データを、ＨＤＭＩ通信部５５を介して受信する（ステップＮ５）。この後、デバッグ処理手段としてのデバッグ処理部５６は、前記受信されたビデオデータ／オーディオデータ／制御データに基づいて、光ディスク再生装置１に対するデバッグ処理を行う（ステップＮ６）。
【００４１】
なお、プロトコルアナライザ５では、自体でＥＤＩＤの設定を行うことも可能であるが、ＨＤＭＩ接続可能な特定の映像音声出力機器と全く同様のＥＤＩＤの設定を行うことは容易ではなかったが、ＵＳＢフラッシュメモリ１８から取得したデータをパーソナルコンピュータ上でプロトコルアナライザ用の設定ファイルに変換することが可能であるため、特定の映像音声出力機器と同じＥＤＩＤを簡単に作成できる。そのため、光ディスク再生装置１に対するデバッグ作業の効率が格段にアップすることになる。
【００４２】
以上説明したように、プロトコルアナライザ５は、ＵＳＢフラッシュメモリ１８から各種のテレビジョン受像機のＥＤＩＤを取得して、光ディスク再生装置１に対するデバッグ処理を行うことができるので、動作テスト対象の光ディスク再生装置１と各種のテレビジョン受像機を１台ずつ接続して、動作テスト対象の光ディスク再生装置１に対するデバッグ処理を行うのと同じ環境を実現でき、この結果、各種のテレビジョン受像機を用意しなくても、動作テスト対象の光ディスク再生装置１に対するデバッグ処理を行うことができ、これにより、光ディスク再生装置１の動作テストの時間が短縮され、光ディスク再生装置１のコストダウンを図れる。
【００４３】
なお、前記実施形態では、情報再生装置としてＨＤＭＩ接続可能な光ディスク再生装置を例に挙げて説明したが、これに限らず、ＨＤＭＩ接続可能な光ディスク記録再生装置やハードディスクレコーダも再生部を備えているので、光ディスク記録再生装置やハードディスクレコーダも同様に動作テストを実施することができる。また、本実施形態では、映像音声出力機器としてＨＤＭＩ接続可能なテレビジョン受像機について説明したが、これに限らず、ＨＤＭＩ接続可能なモニタ装置やプロジェクタなどの映像音声出力機器であっても良い。
【産業上の利用可能性】
【００４４】
本発明は、ＨＤＭＩ接続可能な情報再生装置の動作テストに利用可能である。
【図面の簡単な説明】
【００４５】
【図１】本発明の一実施形態に係る情報再生装置のテストシステムにおいて光ディスク再生装置がテレビジョン受像機からＥＤＩＤを取得するために光ディスク再生装置とテレビジョン受像機とが接続されている場合の構成を示すブロック図である。
【図２】本発明の一実施形態に係る情報再生装置のテストシステムにおいて光ディスク再生装置がプロトコルアナライザにより動作テストされる場合の構成を示すブロック図である。
【図３】本発明の一実施形態に係る情報再生装置のテストシステムにおいて光ディスク再生装置がテレビジョン受像機からＥＤＩＤを取得してＵＳＢフラッシュメモリに格納するまでの処理を説明するためのフローチャートである。
【図４】本発明の一実施形態に係る情報再生装置のテストシステムにおいて光ディスク再生装置がプロトコルアナライザにより動作テストされる場合の処理を説明するためのフローチャートである。
【符号の説明】
【００４６】
１    光ディスク再生装置（情報再生装置）
２    テレビジョン受像機（映像音声出力機器）
５    プロトコルアナライザ
１１    システムコントローラ（ＥＤＩＤ取得手段、メモリ接続判定手段、ファイル形式変換手段、ＥＤＩＤ格納手段）
１８    ＵＳＢフラッシュメモリ
１９    ＵＳＢ（所定バス）
５１    制御部（ＥＤＩＤ登録手段、ＥＤＩＤ送信手段、データ受信手段）
５２    記録媒体
５６    デバッグ処理部（デバッグ処理手段）
【図１】
2009093696.tif 000003
【図２】
2009093696.tif 000004
【図３】
2009093696.tif 000005
【図４】
2009093696.tif 000006